(57)【要約】      （修正有）【課題】目詰まりなどで生じる保水ブロック表面の水分蒸発量の減少を抑制することで、長期間にわたり冷却能力の低下を防止することができる面状体と潅水構造体を提供すること。【解決手段】道路や建築物などの人工の地表面に敷設される面状体において、保水性を有する表層と、該表層の地表面側に所定の間隔で形成された複数個の開口部と、前記開口部の地表面を覆うように形成された頭部と、該頭部から下方に延伸され、該開口部に挿入される軸部とを備えた栓部材と、該頭部と該表層の地表面側とが断熱されるように、該頭部と該軸部の間に配置された断熱部材と、を備え、該軸部と該開口部の内面との間、および該頭部と該表層の地表面側との間に通気部が形成されている。【選択図】図２
2011169067.tif 000002
【特許請求の範囲】
【請求項１】
道路や建築物などの人工の地表面に敷設される面状体において、
保水性を有する表層と、
該表層の地表面側に所定の間隔で形成された複数個の開口部と、
該開口部の地表面の外周を覆うように該表層に形成された防砂処理部と、
を有することを特徴とする面状体。
【請求項２】
前記防砂処理部は、さらに地表面から上方に伸びる凸型隆起部を有していることを特徴と
する請求項１に記載の面状体。
【請求項３】
前記防砂処理部は、撥水部材で形成されていることを特徴とする請求項１または請求項２
に記載の面状体。
【請求項４】
前記開口部には、軸部材が挿入され、
該軸部材の外面と該開口部の内面との間には通気部が形成されていることを特徴とする請
求項１〜請求項３のいずれか１項に記載の面状体。
【請求項５】
道路や建築物などの人工の地表面に敷設される面状体において、
保水性を有する表層と、
該表層の地表面側に所定の間隔で形成された複数個の開口部と、
前記開口部の地表面を覆うように形成された頭部と、該頭部から下方に延伸され、該開口
部に挿入される軸部とを備えた栓部材と、
該頭部と該表層の地表面側とが断熱されるように、該頭部と該軸部の間に配置された断熱
部材と、を備え、
該軸部と該開口部の内面との間、および該頭部と該表層の地表面側との間に通気部が形成
されていることを特徴とする面状体。
【請求項６】
該開口部の地表面の外周を覆うように該表層に形成された防砂処理部を備えることを特徴
とする請求項５に記載の面状体。
【請求項７】
請求項１〜請求項６いずれかに記載の面状体と、該面状体に給水する給水手段と、
を有することを特徴とする潅水構造体。
【発明の詳細な説明】
【技術分野】
【０００１】
本発明は、道路や建築物などの人工の地表面被覆に関するものである。
【背景技術】
【０００２】
今日、都市部の歩道等の道路やビルの屋上、あるいは公園内の一部は、通常、アスファ
ルトやコンクリートで固められている。そのため、照り返しのきつい夏季の日中、そのよ
うな場所の温度上昇は周囲と比較して一段と激しい。このような環境下において歩道を歩
いたり、ビルの屋上等で過ごしたりすることはとても厳しい状況下にある。更に、日中の
みならず夜間においても、この熱がアスファルトやビルの屋上から放熱されて、熱帯夜を
引き起こし、いわゆるヒートアイランド現象を引き起こす大きな要因になっている。
【０００３】
このヒートアイランド現象を緩和するために、道路の脇に植樹したり、ビルの屋上に芝
生や木を植えたり、あるいは種々の草花を植える試みも成されている。しかしながらそれ
だけでは十分でなく、さらなる工夫が求められている。
【０００４】
この一環として、特許文献１や特許文献２にあるように保水性を有する保水性舗装ブロ
ック本体（以下単に保水性ブロックという）の下に容器状の保水タンクや保水トレーを設
置した潅水構造体が提案されている。この潅水構造体の機能は、保水性ブロックを浸透し
て下降してきた雨水や打ち水（以下単に雨水等という）を保水タンクや保水トレーに溜め
ておき、外気温が高温になった時には、この雨水等を給水手段、具体的には不織布等の導
水性部材を介して毛細管力により揚水し、これを保水性ブロック表面から蒸発させて、そ
の蒸発潜熱により保水性ブロックを冷やす、というものである。すなわち、降雨時に雨水
等を保水タンクや保水トレーに貯え、気温が上昇した折にはこの水で保水性ブロックを冷
やしてヒートアイランド現象を緩和させよう、というものである。
【先行技術文献】
【特許文献】
【０００５】
【特許文献１】特許第２８８５０８５号公報（特開平８−８５９０７号）
【特許文献２】特開２００６−１２４９８０号公報
【発明の概要】
【発明が解決しようとする課題】
【０００６】
しかしながら特許文献１や特許文献２に開示されている舗装用の潅水構造体を実際に使
用してみると、保水性ブロックに対する冷却能力が徐々に低下する、という問題が明らか
になってきた。すなわち、外気が高温になった時、雨水等が保水タンクや保水トレーの貯
水空間に貯えられていたとしても、保水性ブロック表面の温度が、日を追うごとに高温に
なっていく、ということがわかってきた。この原因は、保水性ブロックの目詰まりなどに
よって、保水性ブロック表面の蒸発量が減少する。この目詰まりは、水溜りなどに含まれ
る砂やゴミが保水ブロックの微小な隙間に入り込むことによって生じると推測されている
。
【０００７】
前述の問題に鑑み本発明の目的は、目詰まりなどで生じる保水ブロック表面の水分蒸発
量の減少を抑制することで、長期間にわたり冷却能力の低下を防止することができる面状
体と潅水構造体を提供することである。
【課題を解決するための手段】
【０００８】
前記目的を達成すべく本発明の請求項１記載の面状体は、道路や建築物などの人工の地
表面に敷設される面状体において、保水性を有する表層と、該表層の地表面側に所定の間
隔で形成された複数個の開口部と、該開口部の地表面の外周を覆うように該表層に形成さ
れた防砂処理部と、を有することを特徴とする。
【０００９】
このようにしてなる本発明の請求項１に記載の面状体によれば、雨水等が降った時には
、保水性を有する面状体に十分な水を保水することができると共に、外気温が高温になっ
た時には、面状体の地表面に加えて、面状体の地表面側に形成された開口部の内面からも
、面状体内部に保水した水を蒸発させることで、面状体を地表面に加えて内側からも冷却
することができる。また、雨水等と共に砂塵が面状体の地表面部分に接触した時には、開
口部の内部への砂塵の侵入を防砂処理部にて防ぐことで、開口部の目詰まりに伴う蒸発面
積の低下を防ぐことができる。その結果、安定して面状体の地表面を冷却することが可能
となる。
【００１０】
本発明の請求項２に記載の面状体は、前記防砂処理部は、さらに地表面から上方に伸び
る凸部有していることを特徴とする。
【００１１】
本発明の請求項３に記載の面状体は、前記防砂処理部は、撥水部材で形成されているこ
とを特徴とする。
【００１２】
本発明の請求項２および請求項３に記載の面状体によれば、防砂処理部が凸部を有した
り、防砂処理部を撥水部材で形成することで、さらに効率よく、開口部の内部への砂塵の
侵入を防ぐこと可能となり、開口部の目詰まりに伴う蒸発面積の低下を防ぐことができる
。
【００１３】
本発明の請求項４に記載の面状体は、前記開口部には、軸部材が挿入され、該軸部材の
外面と該開口部の内面との間には通気部が形成されていることを特徴とする。
【００１４】
本発明の請求項４に記載の面状体によれば、軸部材を介して、面状体の下部に配置され
ている路盤は地面の熱を効率よく大気に逃がすことが可能となるため、保水ブロック表面
の水分蒸発量の減少を抑制することが可能となる。
【００１５】
本発明の請求項５に記載の面状体は、道路や建築物などの人工の地表面に敷設される面
状体において、保水性を有する表層と、該表層の地表面側に所定の間隔で形成された複数
個の開口部と、前記開口部の地表面を覆うように形成された頭部と、該頭部から下方に延
伸され、該開口部に挿入される軸部とを備えた栓部材と、該頭部と該表層の地表面側とが
断熱されるように、該頭部と該軸部の間に配置された断熱部材と、を備え、該軸部と該開
口部の内面との間、および該頭部と該表層の地表面側との間に通気部が形成されているこ
とを特徴とする。
【００１６】
本発明の請求項５に記載の面状体によれば、面状体の表面に着水した雨水などの水は、
栓部材によって開口部内に侵入することを阻害されるために、雨水などに混ざっている砂
塵は、開口部の内部に侵入できないため、開口部の目詰まりを防止できる。更に、栓部材
と面状体の間の熱伝導を断熱するように、地表面付近において栓部材の頭部と面状体の間
に断熱部材を設置して、かつ、栓部材の軸部と面状体の内面との間には通気部を設けてク
リアランスをとることで、地表面付近における栓部材と面状体の間の熱伝導による熱の流
れを低減できる。これに加えて、通気部を設けることで開口部の内部で蒸発した水蒸気を
大気中に放出することが可能となる。以上の結果、安定して面状体の地表面を冷却するこ
とが可能となる。
【００１７】
本発明の請求項６記載の面状体は、該開口部の地表面の外周を覆うように該表層に形成
された防砂処理部を備えることを特徴とする。
【００１８】
本発明の請求項６に記載の面状体によれば、防砂処理部を開口部の地表面の外周を覆う
ように形成することで、さらに効率よく、開口部の内部への砂塵の侵入を防ぐこと可能と
なり、開口部の目詰まりに伴う蒸発面積の低下を防ぐことができる。
【００１９】
本発明の請求項７記載の潅水構造体は、請求項１から請求項６いずれかに記載の面状体
と、該面状体に給水する給水手段と、を有することを特徴とする。
【００２０】
本発明の請求項７に記載の潅水構造体によれば、夏季の日照りが続く状況で面状体が乾
燥して冷却能力が低下もしくは消失した場合であっても、給水手段により面状体に水を給
水することで、再び面状体の冷却能力を回復させることが可能である。
【発明の効果】
【００２１】
以上のように本発明によれば、雨水等が降った時には、保水性を有する表層に十分な水
を保水することができると共に、外気温が高温になった時には、面状体表面に加えて、面
状体内部に形成した開口部の内面からも面状体に保水した水を蒸発することができる。従
って、この蒸発冷却効果で面状体を冷却する十分な面積の蒸発面積を確保できる。また、
雨水等と共に砂塵が面状体の地表面側に接近した時には、防砂処理部や栓部材により、開
口部への砂塵の侵入を防ぐことで開口部の目詰まりを防止して蒸発面積の低下を防ぐこと
ができる。その結果、安定して地表面を冷却する機能を備えた面状体を提供することがで
き、更に、この面状体と給水手段を組み合わせることにより、長期間安定して面状体の地
表面を冷却する潅水構造体を提供することができる。
【図面の簡単な説明】
【００２２】
【図１】本発明の面状体の第一の実施形態例を示す平面図である。
【図２】本発明の面状体の第一の実施形態例を示す概略縦断面図である。
【図３】本発明の面状体の第一の実施形態例の変形例を示す概略縦断面図である。
【図４】本発明の面状体の第一の実施形態例の変形例において、軸部材６の固定方法を説明した図である
【図５】本発明の面状体の第二の実施形態例を示す平面図である。
【図６】本発明の面状体の第二の実施形態例を示す概略縦断面図である。
【図７】本発明の面状体の第二の実施形態例で用いる栓部材７の拡大概略縦断面図である。
【図８】本発明の面状体の第二の実施形態例において、栓部材７の固定方法を説明した図である
【図９】本発明の面状体の第二の実施形態例に給水手段を取り付けた潅水構造体の模式図である。
【図１０】保水性ブロックの開口部有無によるライト照射実験回数とブロック上面温度の関係を示すグラフである。
【発明を実施するための形態】
【００２３】
以下に図を用いて本発明の面状体の実施形態例を詳細に説明する。図１、図２は、本発
明の面状体の第一実施形態例を示すものであり、図１は平面図であり、図２はそのＡ−Ａ
面で切断した概略縦断面図である。
【００２４】
これら図１、図２に示すように、この面状体１は、保水性を有する表層２に開口部４を
形成して、開口部４の地表面部の外周を覆うように表層２に撥水部材からなる防砂処理部
５が形成されている。表層２は、具体的には、保水性アスファルト舗装や、保水性コンク
リート舗装などが使用可能である。表層２の下方には、路盤２０があり、図示していない
が、表層２と路盤２０との間に基層舗装などが敷設されてもよい。開口部４は、所定の間
隔で表層２を穿つように形成する。開口部４の大きさと間隔と深さにより面状体１が保水
した水分の蒸発面積が設計され、面状体１の冷却効果を制御することが可能となる。
【００２５】
例えば、表層２の厚さが５０ｍｍの場合には、表層２を貫通する直径５ｍｍ、深さ５０
ｍｍの開口部４を縦横各々５０ｍｍ間隔であけたとき、地表面１ｍ２に対する開口部４の
地表面内断面積の総和の割合は約０．８％の約０．００８ｍ２、開口部４の内面の面積の
総和の割合は約３１％の約０．３１ｍ２となる。すなわち、この開口部４を地表面に形成
することで、地表面と開口部４の内面を合計することにより、地表面１ｍ２に対して、約
１．３１ｍ２の蒸発面積を表層２に確保することとなり、安定して表層２を冷却できる。
【００２６】
開口部４は、直径が大きいと、ハイヒールがささるなどの不具合があるため、開口部４
の直径の上限は、５ｍｍ程度にするとよい。また、開口部４の直径が小さいと、毛細管力
が強くなって雨水を吸い込みやすくなり、これに伴って砂塵が侵入しやすくなって目詰ま
りしやすくなるため、開口部４の直径の下限は、１ｍｍ程度にするとよい。なお、開口部
４の直径は、防砂処理部５を撥水材料で形成した場合には、この撥水性の強さも影響する
ため、これを考慮して決める必要がある。開口部４の深さは、蒸発面積を考慮して適切に
設定すればよく、表層２を貫通してもよいし、貫通しなくてもよい。
【００２７】
防砂処理部５は、撥水材料で形成することにより、雨水と共に砂塵が面状体の地表面側
に接近した時には、この防砂処理部５が雨水を撥水して開口部４から遠ざけることにより
、開口部４への砂塵の侵入を防ぐことができる。これにより、開口部４の目詰まりを防止
するため、面状体１の蒸発面積の低下を防ぐことができる。ここで防砂処理部５の素材と
しては、フッ素系樹脂などが適用できる。
【００２８】
なお本例において、防砂処理部５は、開口部４の外周を覆うように設置した撥水材料と
したが、これに限定する必要はなく、開口部４の地表面付近に撥水塗料を塗布して形成し
てもよく、あるいは、撥水性素材によりなるテープを貼付するものや部材を取り付けて形
成してもよく、あるいは、撥水シートを表層２上に敷設及び貼付して形成してもよく、あ
るいは、開口部周辺に微細構造により撥水性を発現する微細加工として形成してもよい。
更に、防砂処理部５は、撥水性以外の構成でもよく、例えば、開口部周辺にリング状の凸
型隆起部を設けることで、雨水や砂塵の侵入を防止してもよい。
【００２９】
図３、４は第一実施形態例の変形例を示すものであり、図３は図２の面状体１の開口部
４に軸部材６を挿入したものの概略縦断面図であり、図４（ａ）〜（ｃ）は、軸部材６の
固定方法を説明した図である。
【００３０】
図３に示すように、開口部４の内面と接触しないように軸部材６が開口部４に挿入され、
面状体１の下部にある路盤２０に突き刺すことで軸部材６が固定されている。さらに、軸
部材６の外面と開口部４の内面との間に水分を蒸発させるための通気部１０が形成されて
いる。このように、軸部材６を開口部４に挿入し、軸部材６の外面と開口部４の内面との
間に通気部１０を形成することで、軸部材６を介して、面状体１の下部に配置されている
路盤等の熱を効率よく大気に逃がすことが可能となるため、路盤等の温度が下がることに
よって、保水ブロック表面の水分蒸発量の減少を抑制することが可能となる。なお、軸部
材６の材質としては、熱を伝導させるものならば何でも適用可能であるが、特に高強度特
性、高熱伝導率特性を有する金属材質が好ましい。
【００３１】
図４を用いて、その他の軸部材６の固定方法について説明する。図４（ａ）の固定方法
は、面状体１に形成された開口部４が面状体１を貫通せずに底面付近で塞がっている場合
の固定方法であり、軸部材６を、開口部４の底面にあたる面状体１の底面に突き刺するこ
とで軸部材６を固定している。図４（ｂ）の固定方法は、面状体１の底面に、軸部材６の
固定部材１１ａを設置して、この固定部材１１ａに軸部材６を突き刺したり、あるいは、
固定部材１１ａと軸部材６を嵌合させることによって、軸部材６を固定している。この場
合、固定部材１１ａを面状体１を同じ平面断面積を有する板状の部材とし、面状体１の下
面全体に接着剤などにより取り付けてもよい。図４（ｃ）の固定方法は、面状体１の底面
付近で、開口部４に取り付けるカラー状の固定部材１１ｂを開口部４に嵌合し、軸部材６
を固定している。
【００３２】
図５、図６は、本発明の面状体の第二実施形態例を示すものであり、図５はこの面状体
１を平面状に敷き並べた平面図であり、図６は図５のＢ−Ｂ面で切断した概略縦断面図で
ある。また、図７は、本発明の面状体１の第二実施形態例で用いられる栓部材７の拡大概
略縦断面図である。また、図８は栓部材７の固定方法を説明した図である。
【００３３】
図５〜図７に示すように、所定の間隔で複数個の開口部４が形成されている面状体１が
平面状に敷き並べられており、それぞれの開口部４には、ピン形状の栓部材７が挿入され
ている。栓部材７は開口部４の地表面を覆うように形成された頭部７ａと、頭部７ａから
下方に延伸され、開口部４に挿入される軸部７ｂとで構成されている。さらに、頭部７ａ
の上面には撥水機構部９が形成される。また、断熱板８は栓部材７の頭部７ａの直下に栓
部材７の軸部７ｂを通してワッシャのような形態で取り付けられ、栓部材７と面状体１と
の間の断熱材として機能する。
【００３４】
そして、頭部７ａは少なくとも開口部４の開口面積以上の面積を有している。このよう
に頭部７ａが開口部４の開口面積以上の面積を有していることで、雨が降った際に、直接
雨水が開口部に入ることがなくなる。さらに、頭部７ａの上面には撥水機構部９が形成さ
れているため、雨水を撥水して開口部４から遠ざけることにより、開口部４への砂塵の侵
入を防ぐことができる。これにより、開口部４の目詰まりを防止するため、面状体１の蒸
発面積の低下を防ぐことができる。
【００３５】
また、栓部材７の軸部７ｂは円柱形状であり、その直径は、開口部４の内径よりも小さ
くすることで軸部７ｂと開口部の内面との間に通気部１０が形成され、軸部７ｂと開口部
の内面が接触することがなくなる。このような構成とすることで、開口部の内面から大気
中に水分を蒸発させることが可能となると共に、開口部４の内面と軸部７ｂとの間で断熱
される。
【００３６】
断熱板８は、開口部４の内面で蒸発した水蒸気が通気部１０を通って大気中に放出され
るように、大気との間で通気性を有する多孔質材とすることが好ましい。また、面状体１
の地表面と頭部７ａとの間に通気部１０ａをさらに設ける場合には、開口部４の内面で蒸
発した水蒸気が通気部１０および１０ａを通って大気中に放出されるので、通気性が確保
される場合には、多孔質材とする必要はない。
【００３７】
また、栓部材７の軸部７ｂの先端は、図６に示すように、面状体１の開口部４を貫通し
て路盤２０もしくはサンドクッションへ固定されている。このように、路盤２０やサンド
クッションの熱を軸部７ｂ、および頭部７ａを介して大気に逃がすことが可能となるため
、路盤等の温度が下がることによって、保水ブロック表面の水分蒸発量の減少を抑制する
ことが可能となる。なお、軸部７ｂは通気部１０で、頭部７ａは断熱板８でそれぞれ断熱
されているため、十分な地表面の冷却効果が得られる。
【００３８】
なお、面状体１としては保水性ブロックを適用することができ、具体的には、インター
ロッキングブロック舗装などに用いるコンクリート製ブロックやセラミックス製ブロック
が使用可能である。あるいは、保水性を有するブロック状のものであれば、木質製ブロッ
ク、ゴム製ブロックなどを用いてもよい。面状体１の下方には、路盤２０があり、図示し
ていないが、面状体１と路盤２０との間にサンドクッションが敷設されてもよい。開口部
４の形成方法、面状体１の冷却効果は、前述の第一実施形態例と同じである。
【００３９】
栓部材７の固定方法については、軸部７ｂの先端を、面状体１の開口部４を貫通して路
盤２０もしくはサンドクッションに突き刺して固定する方法を示したが、地表面付近の断
熱、および通気部１０ａが形成されていれば他の方法でもよい。図８（ａ）〜（ｄ）を用
いて他の栓部材７の固定方法を説明する。
【００４０】
図８（ａ）の固定方法は、面状体１に形成された開口部４が面状体１を貫通せずに底面
付近で塞がっている場合の固定方法であり、軸部７ｂを、開口部４の底面にあたる面状体
１の底面に突き刺することで栓部材７を固定している。図８（ｂ）の固定方法は、面状体
１の底面に、栓部材７の固定部材１１ｃを設置して、この固定部材１１ｃに軸部７ｂを突
き刺したり、あるいは、固定部材１１ｃと栓部材７を嵌合させることによって、栓部材７
を固定している。この場合、固定部材１１ｃを面状体１を同じ平面断面積を有する板状の
部材とし、面状体１の下面全体に接着剤などにより取り付けてもよい。図８（ｃ）の固定
方法は、面状体１の底面付近で、開口部４に取り付けるカラー状の固定部材１１ｄを開口
部４に嵌合し、栓部材７を固定している。図８（ｄ）の固定方法は、断熱板８の下面から
延伸させられ、通気部１０に挿入されるフランジ部１２を設け、フランジ部１２の断熱板
８側部分に通気用嵩上げ部１３を設け、栓部材７を固定している。なお、フランジ部１２
は軸部７ｂの円周に亘り少なくとも対角線上に２本設ければ良い。
【００４１】
図８（ａ）〜（ｄ）の場合も、栓部材７は、地表面付近において、栓部材７と面状体１
との間が断熱されており、且つ通気部１０、１０ａを確保できているため、十分な地表面
の冷却効果が得られる。
【００４２】
次に、図９を用いて、本発明の面状体１を用いた潅水構造体１００を説明する。図９に
示すように、この潅水構造体１００は、平面状に敷き並べた面状体１に対する給水手段と
して、面状体１の下に、導水シート１４が敷設されており、更に、この導水シート１４に
は、雨水貯留槽１５、ポンプ１６、ホース１７、とがつながっている。雨水貯留槽１５に
は、雨水などの水１８を貯留することができる。導水シート１４は、面状体１の直下に位
置しているが、図示を省略した面状体１と路盤２０の間に敷設した図示しないサンドクッ
ションがあり、このサンドクッションが保水性に優れる素材である場合には、サンドクッ
ションの下に敷設してもよい。
【００４３】
また、潅水構造体１００の給水手段として、面状体１に下方から接して水を供給する導
水シート１４を示したが、地下に設置した潅水点滴パイプを使用してもよい。あるいは、
面状体１の下に貯水ユニットを設置して、貯水ユニットから毛細管力を有する導水部材に
よって水を毛細管力で吸い上げて面状体１に給水してもよく、あるいは、地表面にスプリ
ンクラーを設置して面状体１の上から散水してもよい。
【００４４】
表１、図１０は、本発明の潅水構造体１００の机上模型による実験結果を示すものであ
り、表１は面状体１として保水性ブロックを用い、保水性ブロックの開口部有無によるラ
イト照射実験回数とブロック上面温度の関係を示す表であり、図１０は表１の結果をグラ
フにしたものである。
【００４５】
ライト照射実験では、保水性ブロックは、縦３００ｍｍ×横１５０ｍｍ×厚さ５０ｍｍ
のものを用いて、開口部有りの保水性ブロックには、開口部として、保水性ブロックを貫
通する深さ５０ｍｍ、直径５ｍｍの穴を、縦横各々５０ｍｍ間隔でドリルによる穴あけ加
工を施して形成した。給水手段は、保水性ブロック下に設置した貯水ユニットから、導水
部材により、毛細管力を利用して、保水性ブロックに下方から水を給水するようにした。
保水性ブロックの側面部には目地砂を充填した。以上の状態で、潅水構造体の実験装置を
製作してライト照射実験を行った。
【００４６】
ライト照射実験は、ライト点灯開始から１時間後のブロック上面温度を記録して、これ
を表１における“１回目：乾燥”の行に記した。続いて、ブロック上面に水を注いで、十
分にブロックが湿潤状態になるようにした後に、ライトを消灯した。その後、適宜間隔を
おいて、ブロック上面が十分冷却された状態とした。この時点より後は、ブロックへの水
の給水は、ブロック下の貯水ユニットからの給水のみとして、ブロック上面には給水しな
いこととした。
【００４７】
次に、２回目のライト点灯を行い、１時間後のブロック上面温度を記録して、これを表
１における“２回目：打水２”の行に記した。その後、ライトを消灯して、適宜間隔をお
いて、ブロック上面が十分冷却された状態とした。以下２回目のライト点灯実験と同様に
、繰り返してライト照射実験を行った。実験回数は、開口部無しにおいては、 “１回目
：乾燥”のブロック上面温度を超えた４回目まで行った。開口部有りにおいては、“１回
目：乾燥”からスタートして、１１回目までライト照射実験を繰り返して実施した。ライ
ト照射実験の結果は、打ち水後のブロック上面温度が何回で乾燥時の温度を超えるかを観
察して、この実験回数で地表面冷却効果の持続性を比較した。
【００４８】
ライト照射実験の結果、表１に示す通り、開口部無しの実験では、１回目の乾燥状態の
ブロック表面温度８５．９℃に対して、打ち水後４回目のライト照射実験である打水４で
、ブロック表面温度は９１．５℃に上昇して乾燥状態を上回った。これに対して、開口部
有りの実験では、乾燥状態のブロック表面温度７２．８℃に対して、打ち水後４回目のラ
イト照射実験である打水４で、ブロック表面温度は５９．１℃、更に、打ち水後１１回目
のライト照射実験である打水１１で、ブロック表面温度は６１．７℃であり、乾燥状態を
上回ることはなかった。
【００４９】
【表１】
2011169067.tif 000003
【００５０】
すなわち、このライト照射実験から、開口部無しでは、打ち水効果が４回目のライト照
射実験でほぼ消失して乾燥状態よりもブロック上面温度が上昇するのに対して、開口部有
りでは、地表面冷却効果が持続して、１１回目のライト照射実験後においてもまだ乾燥状
態よりもブロック上面温度が低いことに注目して、安定した地表面冷却機能を備えた潅水
構造体を提供できることを確認した。
【符号の説明】
【００５１】
１  面状体
１００  潅水構造体
２  表層
４  開口部
５  防砂処理部
６  軸部材
７  栓部材
７ａ  栓部材の頭部
７ｂ  栓部材の軸部
８  断熱板
９  撥水機構部
１０、１０ａ  通気部
１１ａ、１１ｂ、１１ｃ、１１ｄ  固定部材
１２  フランジ部
１３  嵩上げ部
１４  導水シート
１５  雨水貯留槽
１６  ポンプ
１７  ホース
１８  水
２０  路盤  
【図１】
2011169067.tif 000004
【図２】
2011169067.tif 000005
【図３】
2011169067.tif 000006
【図４】
2011169067.tif 000007
【図５】
2011169067.tif 000008
【図６】
2011169067.tif 000009
【図７】
2011169067.tif 000010
【図８】
2011169067.tif 000011
【図９】
2011169067.tif 000012
【図１０】
2011169067.tif 000013